【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
第１の筐体と第２の筐体が連結部によって折り畳み可能に構成される携帯電話機であって、
開いた状態および折り畳んだ状態で撮影可能な撮像手段と、第１表示手段と、前記撮像手段で撮影した撮像画像を表示可能な第２表示手段とを備え、
前記第１表示手段は、前記第１の筐体の内面に配置され、
前記撮像手段と前記第２表示手段は、前記第１の筐体の外面に配置され、
前記第１の筐体と前記第２の筐体が折り畳まれているか否かを検出する開閉検出手段と、
前記第１表示手段と前記第２表示手段の表示態様を制御する表示制御手段とをさらに備え、
前記表示制御手段は、
前記撮像手段による撮影を行なう際に、前記開閉検出手段が前記第１の筐体と前記第２の筐体が折り畳まれていることを検出した場合には、前記撮像手段の撮影したファインダー画像を前記第２表示手段に前記連結部が上になるように表示させ、
前記撮像手段による撮影を行なう際に、前記開閉検出手段が前記第１の筐体と前記第２の筐体が折り畳まれている状態から開いた状態とされたことを検出した場合には、前記ファインダー画像を表示させる表示手段を前記第２表示手段から前記第１表示手段に切り換えるとともに、前記ファインダー画像を前記連結部が下になるように前記第１表示手段に表示させ、
前記第２表示手段に文字を表示させる際に、前記開閉検出手段が前記第１の筐体と前記第２の筐体が折り畳まれていることを検出した場合には、前記連結部を上方向として、前記第２表示手段に文字を表示させることを特徴とする携帯電話機。
【請求項２】
前記表示制御手段は、前記折り畳まれている状態において、前記第２表示手段にメールの内容を表示させることを特徴とする、請求項１に記載の携帯電話機。
【請求項３】
前記表示制御手段は、前記折り畳まれている状態において、前記第２表示手段にアドレス帳を表示させることを特徴とする、請求項１または請求項２に記載の携帯電話機。
【請求項４】
前記表示制御手段は、前記折り畳まれている状態において、前記第２表示手段に機能設定の表示を行なわせることを特徴とする、請求項１〜請求項３のいずれかに記載の携帯電話機。
【請求項５】
前記第１の筐体の外面に配置され、前記撮像手段からの撮像画像の記憶を指示する、シャッターボタンをさらに含むこと特徴とする、請求項１〜請求項４のいずれかに記載の携帯電話機。
【請求項６】
前記第１の筐体の外面には、前記連結部側から、前記撮像手段、前記第２表示手段、前記シャッターボタンの順に配置されていることを特徴とする、請求項５に記載の携帯電話機。
【請求項７】
前記第１の筐体の外面に配置され、前記第２表示手段の表示を操作する操作手段をさらに含むことを特徴する、請求項１〜請求項６のいずれかに記載の携帯電話機。
【請求項８】
前記第１の筐体の外面には、前記連結部側から、前記撮像手段、前記第２表示手段、前記操作手段の順に配置されていることを特徴とする、請求項７に記載の携帯電話機。
【請求項９】
前記第１の筐体の外面に配置され、前記第１の筐体と前記第２の筐体が折り畳まれた状態で前記第２表示手段に表示されたメールの確認、表示、または、発信を操作するための操作手段をさらに含むことを特徴とする、請求項２に記載の携帯電話機。
【請求項１０】
前記第１の筐体の外側に配置され、前記第１の筐体と前記第２の筐体が折り畳まれた状態で前記第２表示手段に表示されたアドレス帳の表示または検索を操作するための操作手段をさらに含むことを特徴とする、請求項３に記載の携帯電話機。
【請求項１１】
前記第１の筐体の外側に配置され、前記第１の筐体と前記第２の筐体が折り畳まれた状態で前記第２表示手段に表示された機能設定を操作するための操作手段をさらに備えることを特徴とする、請求項４に記載の携帯電話機。
【手続補正２】
【補正対象書類名】明細書
【補正対象項目名】００２３
【補正方法】変更
【補正の内容】
【００２３】
本発明の或る局面に従った携帯電話機は、第１の筐体と第２の筐体が連結部によって折り畳み可能に構成される携帯電話機であって、開いた状態および折り畳んだ状態で撮影可能な撮像手段と、第１表示手段と、前記撮像手段で撮影した撮像画像を表示可能な第２表示手段とを備え、前記第１表示手段は、前記第１の筐体の内面に配置され、前記撮像手段と前記第２表示手段は、前記第１の筐体の外面に配置され、前記第１の筐体と前記第２の筐体が折り畳まれているか否かを検出する開閉検出手段と、前記第１表示手段と前記第２表示手段の表示態様を制御する表示制御手段とをさらに備え、前記表示制御手段は、前記撮像手段による撮影を行なう際に、前記開閉検出手段が前記第１の筐体と前記第２の筐体が折り畳まれていることを検出した場合には、前記撮像手段の撮影したファインダー画像を前記第２表示手段に前記連結部が上になるように表示させ、前記撮像手段による撮影を行なう際に、前記開閉検出手段が前記第１の筐体と前記第２の筐体が折り畳まれている状態から開いた状態とされたことを検出した場合には、前記ファインダー画像を表示させる表示手段を前記第２表示手段から前記第１表示手段に切り換えるとともに、前記ファインダー画像を前記連結部が下になるように前記第１表示手段に表示させ、前記第２表示手段に文字を表示させる際に、前記開閉検出手段が前記第１の筐体と前記第２の筐体が折り畳まれていることを検出した場合には、前記連結部を上方向として、前記第２表示手段に文字を表示させることを特徴とする。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００３７
【補正方法】変更
【補正の内容】
【００３７】
本発明によれば、撮像手段による撮影が行なわれる際に、携帯電話機が折り畳まれている場合には、ファインダー画像は第２表示手段に連結部が上になるように表示され、また、携帯電話機が折り畳まれている状態で第２表示手段に文字が表示させる際には、連結部を上方向として文字が表示される。これにより、ユーザーは、折り畳んだ状態でも連結部を上側にした状態で携帯電話機を使用することができる。
【手続補正８】
【補正対象書類名】明細書
【補正対象項目名】００３９
【補正方法】変更
【補正の内容】
【００３９】
また、本発明によれば、携帯電話機が折り畳まれている状態から開いた状態とされた場合には、ファインダー画像を表示させる表示手段が第２表示手段から第１表示手段に切り換えられるとともに、第１表示手段では、ファインダー画像が、連結部が下になるように表示される。これにより、ユーザーは切り換えのためのボタン操作を行なう必要がなく切り換えのための手間が省かれ、また、折り畳まれている状態でも開いた状態でも、第２の筐体の向きを変えることなくファインダー画像を見ることができ、つまり、いずれの状態でも第２の筐体を持ち変える必要がなくなり、操作性および利便性が向上する。
また、本発明によれば、撮像手段は第２表示手段よりも連結部側に配置されることになる。第１の筐体の連結部側は、第２の筐体との連結のための大きなコネクター類が必要なことから筐体の厚みが必要であり、撮像手段を配置しても筐体の厚みに変化はない。逆に第１の筐体の先端側は、撮像手段よりも厚みの薄い第２表示手段の厚みを確保すればよいだけであり、先端側の薄型化が可能になる。